(57)【特許請求の範囲】
【請求項１】
情報処理装置が、テキストや写真などからなる直読素材、およびこれに関連のテキストや音声、画像などからなる付加素材の１次データをコード形式に変換した２次データを記した印刷物を作成する方法であって、
前記情報処理装置は、
前記直読素材の少なくとも組版スペース量を記憶している直読素材管理データベースから読み出した印刷対象の直読素材の組版スペース量と、利用者により入力された前記直読素材のリンク対象とする付加素材のファイル名に基づいて、前記付加素材の少なくとも組版スペース量を記憶している付加素材管理データベースを参照して読み出した当該付加素材の組版スペース量とに基づいて、当該直読素材と当該付加素材の２次データとを紙面に掲載するための合計スペース量を算出し、
前記直読素材と前記付加素材との対応と、前記合計スペース量とをリンク元の直読素材のリンク情報としてリンク付け管理データベースに登録し、
前記直読素材と前記付加素材の２次データとを、前記リンク付け管理データベースに登録した前記リンク情報に基づいて割付け処理を実行する、
ことを特徴とする印刷物作成方法。
【請求項２】
テキストや写真などからなる直読素材、およびこれに関連のテキストや音声、画像などからなる付加素材の１次データをコード形式に変換した２次データを記した印刷物を作成する装置であって、
前記直読素材の少なくとも組版スペース量を記憶している直読素材管理データベースと、
前記付加素材の少なくとも組版スペース量を記憶している付加素材管理データベースと、
前記直読素材管理データベースから読み出した印刷対象の直読素材の組版スペース量と、利用者により入力された前記直読素材のリンク対象とする付加素材のファイル名に基づいて前記付加素材管理データベースを参照して読み出した当該付加素材の組版スペース量とに基づいて、当該直読素材と当該付加素材の２次データとを紙面に掲載するための合計スペース量を算出し、前記直読素材と前記付加素材との対応と、前記合計スペース量とをリンク元の直読素材のリンク情報としてリンク付け管理データベースに登録するリンク付け機構と、
前記直読素材と前記付加素材の２次データとを、前記リンク付け管理データベースに登録した前記リンク情報に基づいて割付け処理を実行する紙面レイアウト機構と、
を有することを特徴とする印刷物作成装置。
【請求項３】
情報処理装置に、テキストや写真などからなる直読素材、およびこれに関連のテキストや音声、画像などからなる付加素材の１次データをコード形式に変換した２次データを記した印刷物を作成させるプログラムを格納した記録媒体であって、
前記直読素材の少なくとも組版スペース量を記憶している直読素材管理データベースから読み出した印刷対象の直読素材の組版スペース量と、利用者により入力された前記直読素材のリンク対象とする付加素材のファイル名に基づいて、前記付加素材の少なくとも組版スペース量を記憶している付加素材管理データベースを参照して読み出した当該付加素材の組版スペース量とに基づいて、当該直読素材と当該付加素材の２次データとを紙面に掲載するための合計スペース量を算出させる機能と、
前記直読素材と前記付加素材との対応と、前記合計スペース量とをリンク元の直読素材のリンク情報としてリンク付け管理データベースに登録させる機能と、
前記直読素材と前記付加素材の２次データとを、前記リンク付け管理データベースに登録した前記リンク情報に基づいて割付け処理を実行する機能と、
を前記情報処理装置に実現させるためのプログラムを格納したコンピュータ読み取り可能な記録媒体。
【発明の詳細な説明】
【０００１】
【発明の属する技術分野】
本発明は、新聞や雑誌などの各種印刷物の作成に関し、特にテキスト（文字）や写真などからなる直読素材と、これに対応のテキストや音声，画像などからなる関連素材とを記した印刷物を情報処理装置により作成することに関する。
【０００２】
さらには、未割付け素材の内容を簡単に紹介した素材要旨、および当該素材自体を別途格納している記憶領域の位置情報を記した印刷物を情報処理装置により作成することに関する。
【０００３】
【従来の技術】
印刷物は当然のことながらテキストや写真などの直読素材（記事，広告など）を記したものであって、その紙面上に音声や画像などの情報を効率的に掲載することは行なわれていない。
【０００４】
また、新聞などでは全体の頁数が決まっているため、紙面上で実際に提供できる情報量も限定され、未掲載のままボツとなる記事が多数出てしまう。
【０００５】
また、印刷物としての旧来からの性格上、印刷物の一部を読み手が判読できないような形で記しておき、所定のツ−ルを用いることにより初めてその内容を読み取れるといった印刷方式は用いられていない。
【０００６】
【発明が解決しようとする課題】
このような従来の印刷物は次のような問題点を有している。
▲１▼直読素材に対応した音声や動画などの情報を取り込んでいないので、読み手側への情報伝達の程度に限界が生じる。例えばテレビ媒体に比べて、広告の場合にはインパクトが小さく、報道記事の場合には現実感が乏しくなりがちである。
▲２▼大量部数を短時間に印刷して不特定多数の人に発行することを前提とし、紙面も限られている新聞などの場合、情報発信側の判断で一部記事を未掲載にせざるを得ず、また掲載記事の内容も画一的なものになりやすい。
▲３▼例えば高齢者などのように小さな文字が読みづらい方に対しては、情報発信元としての役割を十分にはたしていない。
▲４▼例えば特定の会員のみがパスワードなどにより初めて読み出せるような形での素材掲載をすることができない。
【０００７】
そこで、本発明では、直読素材に関連のテキストや音声，画像などからなる付加素材の１次デ−タを高密度表示用のコ−ド形式の２次デ−タに変換し、これを紙面への印刷対象としている。
【０００８】
また、未割付け素材（未掲載素材）の内容を簡単に紹介した素材概要と、この未割付け素材を格納した記憶領域の位置情報（アドレスなど）をも紙面への印刷対象としている。
【０００９】
また、紙面の一部を直接読み取れないような形で印刷し、この部分については例えば特定グル−プの各メンバがパスワ−ドにより初めて読み取れるようにすることも対象としている。
【００１０】
本発明は、このような印刷物作成の手法を用いることにより、印刷物の掲載内容についての読み手のいわば直感的な理解，印象を一段と強いものにするとともに、印刷対象情報がその発信側でカットされることを極力少なくし、さらには同一印刷物への掲載内容の多様化を図ることを目的とする。
【００１１】
【課題を解決するための手段】
本発明は、この課題を次のようにして解決する。
（１）情報処理装置が、テキストや写真などからなる直読素材、およびこれに関連のテキストや音声、画像などからなる付加素材の１次データをコード形式に変換した２次データを記した印刷物を作成する際に、
前記情報処理装置は、
前記直読素材の少なくとも組版スペース量を記憶している直読素材管理データベースから読み出した印刷対象の直読素材の組版スペース量と、利用者により入力された前記直読素材のリンク対象とする付加素材のファイル名に基づいて、前記付加素材の少なくとも組版スペース量を記憶している付加素材管理データベースを参照して読み出した当該付加素材の組版スペース量とに基づいて、当該直読素材と当該付加素材の２次データとを紙面に掲載するための合計スペース量を算出し、
前記直読素材と前記付加素材との対応と、前記合計スペース量とをリンク元の直読素材のリンク情報としてリンク付け管理データベースに登録し、
前記直読素材と前記付加素材の２次データとを、前記リンク付け管理データベースに登録した前記リンク情報に基づいて割付け処理を実行する。
（２）テキストや写真などからなる直読素材、およびこれに関連のテキストや音声、画像などからなる付加素材の１次データをコード形式に変換した２次データを記した印刷物を作成する装置を、
前記直読素材の少なくとも組版スペース量を記憶している直読素材管理データベースと、
前記付加素材の少なくとも組版スペース量を記憶している付加素材管理データベースと、
前記直読素材管理データベースから読み出した印刷対象の直読素材の組版スペース量と、利用者により入力された前記直読素材のリンク対象とする付加素材のファイル名に基づいて前記付加素材管理データベースを参照して読み出した当該付加素材の組版スペース量とに基づいて、当該直読素材と当該付加素材の２次データとを紙面に掲載するための合計スペース量を算出し、前記直読素材と前記付加素材との対応と、前記合計スペース量とをリンク元の直読素材のリンク情報としてリンク付け管理データベースに登録するリンク付け機構と、
前記直読素材と前記付加素材の２次データとを、前記リンク付け管理データベースに登録した前記リンク情報に基づいて割付け処理を実行する紙面レイアウト機構と、で構成する。
（３）情報処理装置に、テキストや写真などからなる直読素材、およびこれに関連のテキストや音声、画像などからなる付加素材の１次データをコード形式に変換した２次データを記した印刷物を作成させるプログラムを格納した記録媒体であって、
前記直読素材の少なくとも組版スペース量を記憶している直読素材管理データベースから読み出した印刷対象の直読素材の組版スペース量と、利用者により入力された前記直読素材のリンク対象とする付加素材のファイル名に基づいて、前記付加素材の少なくとも組版スペース量を記憶している付加素材管理データベースを参照して読み出した当該付加素材の組版スペース量とに基づいて、当該直読素材と当該付加素材の２次データとを紙面に掲載するための合計スペース量を算出させる機能と、
前記直読素材と前記付加素材との対応と、前記合計スペース量とをリンク元の直読素材のリンク情報としてリンク付け管理データベースに登録させる機能と、
前記直読素材と前記付加素材の２次データとを、前記リンク付け管理データベースに登録した前記リンク情報に基づいて割付け処理を実行する機能と、
を前記情報処理装置に実現させるためのプログラムを格納したコンピュータ読み取り可能な記録媒体を提供する。
【００１２】
本発明によれば、直読素材と、これの付加素材の１次データをコード形式に変換した２次データとが紙面上に掲載される。付加素材は直読できず、例えばペンスキャナーで読み出される。
【００１３】
また、利用者側からの指示に基づいて、直読素材とこれに対応の付加素材とがリンク付けされる。
【００１４】
また、未割付け素材の内容を簡単に紹介した素材要旨と、未割付け素材自体を格納した記憶領域の位置情報とが紙面上に掲載される。素材要旨は直読でき、位置情報は直読できない。
【００１５】
素材要旨を読んで未割付け素材の内容そのものを確認したいと思った読み手は位置情報の部分を例えばペンスキャナーで読み取ればよい。装置側はこの位置情報の記憶領域の内容（未割付け素材の内容）を取り出して画面表示する。
【００１６】
本発明は、このような解決手段からなる印刷物作成方法や印刷物作成装置、および、このような印刷物作成のための機能をコンピュ−タに実現させるためのプログラムを格納したコンピュ−タ読み取り可能なプログラム記憶媒体、を対象としている。
【００１７】
【発明の実施の形態】
図１乃至図２２を参照して本発明の実施の形態を説明する。
なお、以下の実施の形態では、説明の便宜上、印刷物の一例としての新聞を作成する場合を前提とする。
【００１８】
図１は、印刷物作成システムの全体概要を示す説明図であり、
１は直読素材の編集処理や付加素材のコード化処理、直読素材と付加素材とのリンク付け処理、直読素材および付加素材の紙面への割付け処理、未割付け素材の案内掲載処理などを実行するプロセッサ，
１１は直読素材の編集処理プログラムからなる編集機構，
１２は付加素材デ−タのコード化処理プログラムからなるコード化機構，
１３は直読素材と付加素材とのリンク付け処理プログラムからなるリンク付け機構，
１４は直読素材および付加素材の紙面への割付け処理プログラムからなる紙面レイアウト機構，
１５は未割付け素材の案内掲載処理プログラムからなる案内掲載機構，
１６は内部メモリ，
１７はワーク領域，
２は外部記憶装置，
２１は直読素材管理デ−タベ−スおよび直読素材ファイル（図６参照），
２２は付加素材管理デ−タベ−スおよび付加素材ファイル（図７参照），
２３はリンク付け管理デ−タベ−ス（図９参照），
２４は面スペ−ス管理デ−タベ−ス（図１３参照），
２５は未割付け素材管理デ−タベ−スおよび未割付け素材ファイル（図１８参照），
３はこれらの各種処理で用いられる素材デ−タや利用者の指示を受けてプロセッサ１に伝える入力装置，
４は利用者に対するガイド内容を画面表示し、また利用者の入力内容やプロセッサ１の処理結果を画面表示する表示装置，
５は直読素材や付加素材を印刷する印刷装置，
６は未割付け素材の中で要旨だけを紙面に掲載した素材について、その素材詳細を保持するサービスセンタ，
をそれぞれ示している。
【００１９】
図２は、直読素材および付加素材を記した紙面などの概要を示す説明図であり、７は新聞紙面，７ａは直読素材の印刷部分，７ｂは付加素材のコード印刷部分，８はペンスキャナーをそれぞれ示している。図面作成の便宜上、コード印刷部分７ｂを網掛け表示しているが、その具体例は例えば図３で示すようになる。
【００２０】
付加素材のコード印刷部分７ｂをペンスキャナー８で読み取ってデコーダソフトにかけると、当該印刷部分の付加素材がその内容に応じた画像・写真や，テキスト，音声の形で出力される。
【００２１】
図示のコード印刷部分７ｂを特定の会員のみがパスワードなどで読み出せるようにしてもよい。また、当該コード印刷部分を直読素材から独立した内容のものとし、これ単独で読み出しの対象となるようにしてもよい。
【００２２】
図３は、付加素材の紙面への印刷および紙面からの読取りの方式を示す説明図であり、７ｂは付加素材のコード印刷部分，３１は符号化手段（コード化機構），３２は符号化用の対応規則，３３は復号化手段，３４は復号化用の逆対応規則，３５はコードデ−タ（情報ユニット），３６はコード印刷部分７ｂの左上部分をそれぞれ示している。
【００２３】
ここで用いる符号化，復号化の技術は高密度表示に適しており、その詳細は特開平６−３４３１３２号公報で開示される。付加素材デ−タをあらかじめ圧縮してから符号化手段で処理すれば、より高密度な印刷を行なうことができる。
【００２４】
付加素材の１次デ−タは対応規則３２にしたがって符号化手段３１で処理され、４バイトのコードデ−タ３５（２次デ−タ）に変換される。図示のコードデ−タ３５は文字「Ｃ」に対応する。そして、このコードデ−タ３５の「１」の部分が「黒」で「０」の部分が「白」となるように印刷している。
【００２５】
図示のコード印刷部分７ｂは１８個のコードデ−タの印刷結果であり、一つのコードデ−タ３５はコード印刷部分７ｂの左上部分３６、すなわち全体の１／１８の領域に印刷されている。
【００２６】
コード印刷部分７ｂをスキャナーで読み取ると４バイトのコードデ−タ３５が求まり、これを復号化手段３３で逆対応規則３４にしたがった処理を行なうことにより元の付加素材が復元される。
【００２７】
図４は、未割付け素材の素材要旨（未割付け素材の内容の簡単な説明）などを記した紙面の概要を示す説明図であり、７は新聞紙面，７ｃは素材要旨の印刷部分，７ｄは未割付け素材を格納したサービスセンタ６（図１参照）の記憶アドレス（位置情報）のコード印刷部分をそれぞれ示している。コード印刷部分７ｄは２次元バーコードでもよい。
【００２８】
読み手が、素材要旨の印刷部分７ｃを見てその素材内容、すなわちサービスセンタ６に格納されている素材内容を知りたくなったときは、上記のようにそのコード印刷部分７ｄをペンスキャナー８で読み取るだけでよい。
【００２９】
後は素材検索機構（図示省略）がコード印刷部分７ｄの記憶アドレスを復号化し、サービスセンタ６から当該記憶アドレス領域の素材デ−タを取り出して画面表示する。
【００３０】
図５は、新聞作成手順の全体概要を示す説明図であり、その内容は次のようになっている。
(S11)新聞に掲載する記事, 写真, 広告などの直読素材を編集機構１１により作成して、次のステップに進む。
(S12)編集機構１１は、作成済の直読素材情報を直読素材管理デ−タベース２１ａなど（図６参照）に登録して、次のステップに進む。なお、登録に先立って直読素材の印刷に必要な組版スペ−ス量を特定する。
(S13)レイアウト対象の直読素材をすべて作成したかどうか、すなわち作成完了の指示を利用者側から受けたかどうかを判断し、「YES 」の場合は次のステップに進み、「NO」の場合はステップ(S11)に戻る。
(S14)直読素材に関連した付加素材（直読素材の内容をより分かりやすくするためのテキストや音声，画像などの関連情報からなる素材）を作成して、次のステップに進む。なお、付加素材の作成に編集機構１１を用いるかどうかは任意である。編集機構１１を用いない場合は外部のツールにより作成する。
(S15)編集機構１１は、作成済の付加素材情報およびこれから求めた印刷用のコードデ−タを付加素材管理デ−タベース２２ａなど（図７参照）に登録して、次のステップに進む。なお、登録に先立って付加素材の印刷に必要な組版スペ−ス量を特定する。
(S16)リンク付け機構１３は、利用者が指定した直読素材と付加素材とのリンク情報をリンク付け管理デ−タベース２３（図９参照）に登録し、次のステップに進む。
(S17)紙面レイアウト機構１４は、利用者が指定した直読素材と付加素材を紙面上に割り付けて、次のステップに進む（図１２参照）。
(S18)直読素材の紙面レイアウトが完了したかどうか、すなわち紙面レイアウト完了の指示を利用者側から受けたかどうかを判断し、「YES 」の場合は次のステップに進み、「NO」の場合はステップ(S17)に戻る。
(S19)案内掲載機構１５は、利用者が指定した未割付けの直読素材（素材詳細）をサービスセンタ６に格納するとともに、このときの格納アドレスの印刷用コードデ−タ（格納アドレスコード）と、利用者作成の素材要旨とを含むサービス素材情報を未割付け素材管理デ−タベ−ス２５ａなどに登録して、次のステップに進む（図１７参照）。なお、登録に先立ってサービス素材（素材要旨と格納アドレスコード）の印刷に必要な組版スペ−ス量を特定する。
(S20) 案内掲載機構１５は、掲載対象のサービス素材すべて作成したかどうか、すなわち作成完了の指示を利用者側から受けたかどうかを判断し、「YES 」の場合は次のステップに進み、「NO」の場合はステップ(S19)に戻る。
(S21)紙面レイアウト機構１４は、各サービス素材を紙面上に割り付けて、次のステップに進む（図１７参照）。このとき、利用者が割付け対象のサービス素材を個々に指定していくか、紙面レイアウト決定機構がサービス素材の全体を所定の順序、例えば作成順で割り付けていくかは任意である。
(S22)印刷装置５は、紙面の試し印刷，本印刷を行なって、一連の処理を終了する。この印刷処理の対象は後述の直読素材ファイル２１ｂおよび付加素材ファイル２２ｂのデ−タである。
【００３１】
組版スペ−ス量は、
・テキスト素材の場合、文字サイズ，文字数，文字間長，行数，行間長，段数，段間長などのデ−タに基づいて算出し、
・写真素材，画像素材や印刷用コード素材の場合、当該素材そのものの縦および横方向の画素数（ドット数），印刷装置の出力解像度（１インチ当たり何ドット印刷するか）などのデ−タに基づいて算出する。印刷用コード素材の場合も結局画像デ−タとして処理されるためそのサイズは画素数などで決まる。
【００３２】
なお、利用者側から「縦何cm，横何cm」のような形で組版スペ−ス量を指定してもよい。
【００３３】
図６は、直読素材管理デ−タベースや直読素材ファイルの概要を示す説明図であり、直読素材管理デ−タベース２１ａの直読素材レコ−ドは、
・素材ＩＤ
・直読素材（素材解説および素材詳細）を格納した直読素材ファイル２１ｂのファイル名
・直読素材の作成者
・直読素材レコ−ドの最終更新日
・直読素材の組版スペ−ス量
・掲載頁
・未割付け素材の中でサービス素材として掲載されるかどうかを示す案内掲載フラグ
の項目デ−タからなっている。
【００３４】
図７は、付加素材管理デ−タベースや付加素材ファイルの概要を示す説明図であり、付加素材管理デ−タベース２２ａの付加素材レコ−ドは、
・付加素材（素材解説および素材詳細）を格納した付加素材ファイル２２ｂのファイル名
・付加素材の作成者
・付加素材レコ−ドの最終更新日
・付加素材の組版スペ−ス量
の項目デ−タからなっている。
【００３５】
図６および図７の各管理デ−タベースのファイル名を参照することによりそれぞれの素材を格納した素材ファイルにアクセスすることができる。組版スペ−ス量は単位化された値であり、素材解説を印刷しないときは素材詳細のみを組版スペ−ス量の算出対象とする。
【００３６】
図８は、リンク付け機構の処理手順を示す説明図であり、その内容は次のようになっている。なお、リンク付け処理に先立って、直読素材管理デ−タベース２１ａや直読素材ファイル２１ｂと、付加素材管理デ−タベース２２ａや付加素材ファイル２２ｂとを内部メモリ１６に保持する。
(S31)直読素材および付加素材それぞれの素材解説を表示装置４に一覧表示して、次のステップに進む。
(S32)利用者が指示したリンク対象の付加素材のファイル名を選択して、次のステップに進む。
(S33)利用者が入力した付加素材ガイドコメント（紙面上の付加素材がどの直読素材に対応したものであるかや、付加素材の読取り時のスキャン方向を示した情報）をワーク領域１７に保持して、次のステップに進む。
(S34)リンク対象の付加素材（素材詳細），リンク元の直読素材および当該ガイドコメントの三要素を紙面に掲載するための合計スペ−ス量を算出して、次のステップに進む。この算出には、直読素材レコ−ド，付加素材レコ−ド素材の組版スペ−ス量とガイドコメントの組版スペ−ス量を用いる。なお、ガイドコメントの組版スペ−ス量は上述のようにして求める。
(S35)以上のファイル名，ガイドコメントおよび合計スペ−ス量の各デ−タを、リンク元の直読素材の素材ＩＤに対応させる形で、リンク付け管理デ−タベ−ス２３に登録して、次のステップに進む。
(S36)リンク付け処理を終了するか、すなわちリンク付け終了の指示を利用者側から受けたかどうかを判断し、「YES 」の場合は当該処理を終了し、「NO」の場合はステップ(S32)に戻る。
【００３７】
なお、直読素材と付加素材とのリンク付け処理を個々の付加素材の作成ごとに実行するか、複数の（またはすべての）付加素材の作成後に実行するかは任意である。
【００３８】
図９は、リンク付け管理デ−タベ−スの概要を示す説明図であり、リンク付け管理デ−タベ−ス２３のリンク付けレコ−ドは、
・直読素材の素材ＩＤ
・付加素材を格納したファイルのファイル名
・付加素材についてのガイドコメント
・直読素材，付加素材（素材詳細）およびガイドコメントの三要素を紙面に掲載するための合計スペ−ス量
の項目デ−タからなっている。
【００３９】
このリンク付け管理デ−タベ−ス２３からも分かるように、リンク付け機構１３は一つの直読素材に複数の付加素材をリンクさせる場合にも対応可能になっている。
【００４０】
図１０は、直読素材およびこれに対応の付加素材の割付けスペ−スの関係を示す説明図であり、
４１は直読素材の組版スペ−ス量（図６参照）
４２は付加素材のガイドコメント部分の組版スペ−ス量
４３は付加素材のコード部分の組版スペ−ス量（図７参照）
４４は付加素材の全スペ−ス量
４５は直読素材と付加素材の合計スペ−ス量（図９参照）
をそれぞれ示している。
【００４１】
組版スペ−ス量４１および４２に対応の紙面上の掲載エリアには直読可能な形での印刷が行なわれ、組版スペ−ス量４３に対応の紙面上の掲載エリアには直読できない形でのコード印刷が行なわれる。コード印刷の部分はスキャナーで読み取られる。
【００４２】
図１１は、付加素材の割付け位置の態様を示す説明図であり、
(a)は直読素材５１の直後に付加素材５２を割り付ける「直読素材直後」
(b)は設定済みの付加素材専用エリアに付加素材５２を割り付ける「専用スペ−ス」
(c)は利用者が指定した未割付けエリア内に付加素材５２を割り付ける「直接指示（空きスペ−ス）」
(d)は利用者が指定した割付け済エリア内に付加素材５２を割り付ける「直接指示（重ねおき）」
の各状態を示している。
【００４３】
図示 (c)の場合の付加素材５２は対応の直読素材５１から離れた未割付けエリア内に割り付けられ、また、 (d)の場合の付加素材５２は広告素材がレイアウト済のエリア内に割り付けられている。
【００４４】
図１２は、紙面レイアウト機構の処理手順を示す説明図であり、その内容は次のようになっている。なお、この割付け処理に先立って、直読素材管理デ−タベース２１ａ，直読素材ファイル２１ｂ，付加素材管理デ−タベース２２ａおよびリンク付け管理デ−タベ−ス２３を内部メモリ１６に保持する。
(S41) 面スペ−ス管理デ−タベース２４の初期設定を行なって、次のステップに進む。この初期設定内容は内部メモリ１６に保持される。
(S42) 利用者が指定した紙面（指定面）の面スペ−スレコードを面スペ−ス管理デ−タベースから取り出して、次のステップに進む。
(S43) 指定面の全体スペ−スがその使用済の全スペ−スより大きいかどうかを判断し、「YES 」の場合は次のステップに進み、「NO」の場合はステップ(S45) に進む。
(S44)直読素材管理デ−タベース２１ａに「掲載頁：なし」の直読素材レコードがあるかどうかを判断し、「YES 」の場合はステップ(S46)に進み、「NO」の場合は一連の割付け処理を終了する。
(S45)割付け処理を終了するかどうか、すなわちレイアウト終了の指示を利用者側から受けたかどうかを判断し、「YES 」の場合は一連の割付け処理を終了し、「NO」の場合はステップ(S42) に戻る。
(S46)レイアウト対象の直読素材の素材ＩＤや素材解説などを表示装置４の画面に一覧表示して、次のステップに進む。このときの一覧表示の範囲については利用者が画面上で設定できる（図１９参照）。
(S47)利用者が選択した直読素材とリンクする付加素材があるかどうかをリンク付け管理デ−タベ−ス２３から判断し、「YES 」の場合は次のステップに進み、「NO」の場合はステップ(S50)に進む。
(S48)リンク関係にある当該直読素材および当該付加素材を割り付けるだけのスペ−スが指定面に残っているかどうかを判断し（図１４参照）、「YES 」の場合は次のステップに進み、「NO」の場合はステップ(S56)に進む。
(S49)当該直読素材および当該付加素材の割付け処理を実行して（図１５参照）、ステップ(S52)に進む。
(S50)指定面の全体スペ−スが、その使用済の全スペ−スと当該直読素材レコ−ドの組版スペ−ス量との和より大きいかどうかを判断し、「YES 」の場合は次のステップに進み、「NO」の場合はステップ(S56) に進む。
(S51)当該直読素材の割付け処理を実行して、次のステップに進む。
(S52)今回の割付け処理の結果は「ＯＫ」であるかどうかを判断し、「YES 」の場合は次のステップに進み、「NO」の場合はステップ(S55)に進む。「ＯＫ」であるかどうかは利用者から指示される。
(S53)割付け処理で用いた紙面スペ−ス量を面スペ−ス管理デ−タベース２４に反映させて、次のステップに進む（図１６参照）。
(S54)当該直読素材レコ−ドの「掲載頁」の項目デ−タを指定面頁の値で更新して、ステップ(S56)に進む。
(S55) 今回の割付け内容を取り消して、次のステップに進む。
(S56)割付け処理を終了するかどうか、すなわち割付け処理終了の指示を利用者側から受けたかどうかを判断し、「YES 」の場合は一連の割付け処理を終了し、「NO」の場合は次のステップに進む。
(S57)同一指定面の割付け処理を続けるかどうかを判断し、すなわち次の割付け処理の指示が同一指定面のときはステップ(S43)に戻り、当該指示が同一指定面でないときはステップ(S42)に戻る。
【００４５】
図１３、面スペ−ス管理デ−タベースの初期設定例を示す説明図であり、面スペ−スレコ−ドは、
・面（新聞紙面）
・面の全体スペ−ス
・付加素材専用スペ−スの有無
・付加素材専用の全体スペ−ス
・使用済の付加素材専用全スペ−ス
・（面の）使用済の全スペ−ス
・付加素材の設定位置（図１１参照）
の項目デ−タからなっている。
【００４６】
「付加素材専用の全体スペ−ス」には、図１１(b) の付加素材専用エリアのスペ−ス値が面スペ−ス管理デ−タベース２４の初期設定の段階で登録される。このスペ−ス値は使用済の全スペ−スにも登録される。
【００４７】
付加素材専用エリアの割付けは最初に設定された「付加素材専用の全体スペ−ス」の範囲内で実行されるので、当該エリアへの付加素材の割付けによって「使用済の全スペ−ス」の値が変化することはない。「使用済の付加素材専用全スペ−ス」の値が付加素材の割付け分だけ増えることは勿論である。
【００４８】
面スペ−ス管理デ−タベース２４で用いるスペ−ス量は基本文字サイズ，文字数，文字間長，行数，行間長，段数，段間長などのデ−タに基づいて算出する。また、利用者側から「縦何cm，横何cm」のように指定してもよい。
【００４９】
図１４は、図１２のステップ(S48)の判定基準を示す説明図であり、その内容は、指定面の面スペ−スレコ−ドの「付加素材の設定位置」に応じて、
(a) 当該設定位置が「直読素材直後」のとき、
・指定面の全体スペ−ス＞（使用済の全スペ−ス＋今回割付けの直読素材および付加素材の合計スペ−ス量４５）
の条件を満たせば「YES 」、満たさなければ「NO」となる。
【００５０】
また、
(b) 当該設定位置が「専用スペ−ス」のとき、
・指定面の全体スペ−ス＞（使用済の全スペ−ス＋今回割付けの直読素材の組版スペ−ス量４１）
・付加素材専用の全体スペ−ス＞〔使用済の付加素材専用全スペ−ス＋今回割付けの付加素材の組版スペ−ス量（＝リンク付け管理デ−タベ−スの合計スペ−ス量４５−直読素材管理デ−タベ−スの組版スペ−ス量４１）
の条件をともに満たせば「YES 」、満たさなければ「NO」となる。
【００５１】
また、
(c) 当該設定位置が「直接指示（空きスペ−ス）」のとき、
・指定面の全体スペ−ス＞（使用済の全スペ−ス＋今回割付けの直読素材および付加素材の合計スペ−ス量４５）
の条件を満たせば「YES 」、満たさなければ「NO」となる。これは(a) の場合と同じ判定基準である。
【００５２】
また、
(d)当該設定位置が「直接指示（重ねおき）」のとき、
・指定面の全体スペ−ス＞（使用済の全スペ−ス＋今回割付けの直読素材の組版スペ−ス量４１）
の条件を満たせば「YES 」、満たさなければ「NO」となる。
【００５３】
図１５は、図１２のステップ(S49)の詳細を示す説明図であり、その内容は次のようになっている。
(S491)利用者が選択した直読素材を指定面の未割付けエリア（付加素材専用エリアを除く）に割り付けて、次のステップに進む。
(S492)面スペ−ス管理デ−タベース２４の指定面レコ−ドの「付加素材の設定位置」は「直読素材直後」であるかどうかを判断し、「YES 」の場合は次のステップに進み、「NO」の場合はステップ(S494)に進む。
(S493)当該直読素材に続く位置にステップ(S47) の付加素材を割り付けて、図１２のステップ(S50)に進む。
(S494)当該指定面レコ−ドの「付加素材の設定位置」は「専用スペ−ス」であるかどうかを判断し、「YES 」の場合は次のステップに進み、「NO」の場合はステップ(S496)に進む。
(S495)付加素材専用エリアにステップ(S47) の付加素材を割り付けて、図１２のステップ(S50)に進む。
(S496)当該指定面レコ−ドの「付加素材の設定位置」は「直接指示（空きスペ−ス）」であるかどうかを判断し、「YES 」の場合は次のステップに進み、「NO」の場合はステップ(S498)に進む。
(S497)未割付けエリア（付加素材専用エリアを除く）を表示装置４にガイド表示し、利用者がこの中で指示する箇所にステップ(S47) の付加素材を割り付けて、図１２のステップ(S50)に進む。
(S498)割付け済広告エリアを表示装置４にガイド表示し、利用者がこの中で指示する箇所にステップ(S47) の付加素材を割り付けて、図１２のステップ(S50)に進む。
【００５４】
紙面レイアウト機構１４は以上の割付け処理を実行するに先立って、従前の場合と同じように、各紙面においてすでにどのような位置，スペ−スの形でレイアウトされているかを示すレイアウト情報を獲得する。
【００５５】
なお、ステップ(S496)で「NO」となった場合の「付加素材の設定位置」のデ−タが「直接指示（重ね置き）」と一致しないときには、その旨を画面表示して利用者からの指示を待つ。
【００５６】
また、ステップ(S498)の処理で付加素材の割付け領域が割付け済広告エリアを超えるときにも、その旨を画面表示して利用者からの指示を待つ。これは記事の部分が付加素材の割付けによって削られてしまうのを防ぐためである。
【００５７】
図１６は、図１２のステップ(S53)の詳細を示す説明図であり、その内容は次のようになっている。
(S531)面スペ−ス管理デ−タベース２４の指定面レコ−ドの「付加素材の設定位置」は「直接指示（重ねおき）」であるかどうかを判断し、「YES 」の場合は次のステップに進み、「NO」の場合はステップ(S533)に進む。
(S532)今回割り付けた直読素材レコ−ドの「組版スペ−ス量４１」のデ−タで当該指定面レコ−ドの「使用済の全スペ−ス」の項目を追加更新して、図１２のステップ(S54)に進む。
(S533)当該指定面レコ−ドの「付加素材の設定位置」は「専用スペ−ス」であるかどうかを判断し、「YES 」の場合は次のステップに進み、「NO」の場合はステップ(S535)に進む。
(S534)今回割り付けた直読素材レコ−ドの「組版スペ−ス量４１」のデ−タで当該指定面レコ−ドの「使用済の全スペ−ス」の項目を追加更新するとともに、同じく割り付けた付加素材の「全スペ−ス量４４（図１０参照）」のデ−タで当該指定面レコ−ドの「使用済の付加素材専用全スペ−ス」の項目を追加更新して、図１２のステップ(S54)に進む。
(S535)今回割り付けた直読素材レコ−ドに対応するリンク付けレコ−ドの「合計スペ−ス量４５」のデ−タで当該指定面レコ−ドの「使用済の全スペ−ス」の項目を追加更新して、図１２のステップ(S54)に進む。
【００５８】
ステップ(S534)の付加素材の全スペ−ス量４４は、リンク付けレコ−ドの「合計スペ−ス量４５」から直読素材レコ−ドの「組版スペ−ス量４１」を減じることにより求まる。
【００５９】
なお、図１２のステップ(S47)で「NO」と判断され、また、ステップ(S50)で「YES 」と判断されてからステップ(S53)へと移行した（付加素材なしの）直読素材に対する図１６の処理はステップ(S532)のみでよい。
【００６０】
また、ステップ(S533)で「NO」となった場合の「付加素材の設定位置」のデ−タが「直読素材直後」または「直接指示（空きエリア）」と一致しないときには、その旨を画面表示して利用者からの指示を待つ。
【００６１】
図１７は、未割付け素材の案内掲載機構の処理手順（図４参照）を示す説明図であり、その内容は次のようになっている。なお、この案内掲載処理に先立って、直読素材管理デ−タベース２１ａおよび直読素材ファイル２１ｂを内部メモリ１６に保持する。
(S61)直読素材管理デ−タベース２１ａに「掲載頁：なし」の直読素材レコ−ドがあるかどうかを判断し、「YES 」の場合は次のステップに進み、「NO」の場合は未割付け素材の案内掲載処理を終了する。
(S62) 案内掲載対象の直読素材の素材ＩＤや素材解説などを表示装置４に一覧表示（図２１参照）して、次のステップに進む。案内掲載対象となりえるのは「掲載頁：なし」の直読素材レコ−ドであり、利用者は図２１の初期画面上で当該直読素材レコ−ドの中から案内掲載対象の直読素材群を抽出する。
(S63) この一覧表示の中から利用者が選択した直読素材の素材詳細デ−タを取り出してサービスセンタ６に登録して、次のステップに進む。
(S64) この登録時の格納アドレスをコード化して格納アドレスコードファイル（未割付け素材ファイル）２５ｃに格納し、そのファイル名をワ−ク領域１７に保持する。案内掲載機構１５は例えば素材ＩＤを含む形の当該ファイル名を自動設定する。
(S65) 利用者が当該直読素材について入力する素材要旨を素材要旨ファイル（未割付け素材ファイル）２５ｂに格納し、そのファイル名をワ−ク領域１７に保持する。案内掲載機構１５は例えば素材ＩＤを含む形の当該ファイル名を自動設定する。
(S66) この格納アドレスコードおよび素材要旨を紙面に掲載するための組版スペ−ス量を算出して、次のステップに進む。なお、格納アドレスコードおよび素材要旨の組版スペ−ス量は上述のようにして求める。
(S67) 以上のファイル名および組版スペ−ス量の各デ−タを、当該直読素材の素材ＩＤに対応させる形で、未割付け素材管理デ−タベ−ス２５ａ（図１８参照）に登録して、次のステップに進む。
(S68) 一覧表示の当該直読素材の部分を例えば強調表示するとともに、直読素材管理デ−タベ−ス２１ａの当該直読素材レコ−ドに案内掲載処理済フラグ「１」をたてて、次のステップに進む。
(S69) 引続き案内掲載処理を実行するかどうか、すなわち案内掲載処理終了の指示を利用者側から受けていないかどうかを判断し、「YES 」の場合は次のステップに進み、「NO」の場合はステップ(S71) に進む。
(S70) 一覧表示内容を変更するかどうか、すなわち一覧表示内容の変更指示を利用者側から受けているかどうかを判断し、「YES 」の場合はステップ(S62) に戻り、「NO」の場合はステップ(S63) に戻る。
(S71) 未割付け素材管理デ−タベ−ス２５ａを対象として、紙面レイアウト機構１４により、図１２のステップ(S47) で「NO」となったときと同様の割付け処理を実行して、未割付け素材の案内掲載処理を終了する。なお、この割付け処理に際しては図１２の「直読素材」を「未割付け素材」に置き換える。
【００６２】
図１８は、未割付け素材管理デ−タベースなどを示す説明図であり、未割付け素材管理デ−タベース２５ａの未割付け素材レコ−ドは、
・直読素材の素材ＩＤ
・素材要旨ファイル２５ｂのファイル名
・格納アドレスコードファイル２５ｃのファイル名
・素材要旨および格納アドレスコードの組版スペ−ス量
の項目デ−タからなっている。
【００６３】
図１９は、素材選択画面の初期状態を示す説明図である。この画面は図１２のステップ(S46),(S47)などの処理のときに用いられる。
【００６４】
利用者は、直読素材に関する素材選択条件指定の、
・素材種別（全て，写真，記事，広告）
・作成者
・更新日付
・組版スペ−ス量
・素材ＩＤ
などを任意に設定することにより、当該設定内容に対応した各直読素材を表示装置４に一覧表示させる。
【００６５】
図２０は、素材要旨選択画面の入力状態を示す説明図であり、素材詳細の表示部分および素材要旨の入力表示部分を有している。この画面は図１７のステップ(S65) における素材要旨の入力処理のときに用いられる。
【００６６】
図２１は、未割付け素材選択画面の初期状態を示す説明図である。この画面は図１７のステップ(S62) で案内掲載対象の直読素材の素材ＩＤや素材解説などを表示装置４に一覧表示するときに用いられる。図１９の初期画面と同じように一覧表示の範囲を素材選択条件の設定によって絞り込むことができる。
【００６７】
図２２は、コンピュ−タ読み取り可能な記録媒体からプログラムを読み取って実行するコンピュ−タシステムの概要を示す説明図であり、９はコンピュ−タシステム、９１はＣＰＵやディスクドライブ装置などを内蔵した本体部、９２は本体部９１からの指示により画像を表示するディスプレイ、９３は表示画面、９４はコンピュ−タシステム９に種々の情報を入力するためのキ−ボ−ド、９５は表示画面９３の任意の位置を指定するマウス、９６は外部のデ−タベ−ス（ＤＡＳＤなどの回線先メモリ）、９７は外部のデ−タベ−ス９６にアクセスするモデム、９８はＣＤ−ＲＯＭやフロッピ−ディスクなどの可搬型記録媒体をそれぞれ示している。
【００６８】
プログラムを格納する記録媒体としては、
・プログラム提供者側のデ−タベ−ス９６（回線先メモリ）
・可搬型記録媒体９８
・本体部９１側のＲＡＭやハ−ドディスク
などのいずれでもよく、当該プログラムは本体部９１にロ−デイングされてその主メモリ上で実行される。
【００６９】
【発明の効果】
本発明は、このような構成をとっているので、印刷物の掲載内容についての読み手のいわば直感的な理解，印象を一段と強いものにするとともに、印刷対象情報がその発信側でカットされることを極力少なくし、さらには同一印刷物への掲載内容の多様化を図ることができる。
【図面の簡単な説明】
【図１】本発明の、印刷物作成システムの全体概要を示す説明図である。
【図２】本発明の、直読素材および付加素材を記した紙面などの概要を示す説明図である。
【図３】本発明の、付加素材の紙面への印刷および紙面からの読取りの方式を示す説明図である。
【図４】本発明の、未割付け素材の素材要旨（未割付け素材の内容の簡単な説明）などを記した紙面の概要を示す説明図である。
【図５】本発明の、新聞作成手順の全体概要を示す説明図である。
【図６】本発明の、直読素材管理デ−タベースや直読素材ファイルの概要を示す説明図である。
【図７】本発明の、付加素材管理デ−タベースや付加素材ファイルの概要を示す説明図である。
【図８】本発明の、リンク付け機構の処理手順を示す説明図である。
【図９】本発明の、リンク付け管理デ−タベ−スの概要を示す説明図である。
【図１０】本発明の、直読素材およびこれに対応の付加素材の割付けスペ−スの関係を示す説明図である。
【図１１】本発明の、付加素材の割付け位置の態様を示す説明図である。
【図１２】本発明の、紙面レイアウト機構の処理手順を示す説明図である。
【図１３】本発明の、面スペ−ス管理デ−タベースの初期設定例を示す説明図である。
【図１４】本発明の、図１２のステップ(S48)の判定基準を示す説明図である。
【図１５】本発明の、図１２のステップ(S49)の詳細を示す説明図である。
【図１６】本発明の、図１２のステップ(S53)の詳細を示す説明図である。
【図１７】本発明の、未割付け素材の案内掲載機構の処理手順（図４参照）を示す説明図である。
【図１８】本発明の、未割付け素材管理デ−タベースなどを示す説明図である。
【図１９】本発明の、素材選択画面の初期状態を示す説明図である。
【図２０】本発明の、素材要旨選択画面の入力状態を示す説明図である。
【図２１】本発明の、未割付け素材選択画面の初期状態を示す説明図である。
【図２２】本発明の、コンピュ−タ読み取り可能な記録媒体からプログラムを読み取って実行するコンピュ−タシステムの概要を示す説明図である。
【符号の説明】
１：プロセッサ
１１：編集機構
１２：コード化機構
１３：リンク付け機構
１４：紙面レイアウト機構
１５：案内掲載機構
１６：内部メモリ
１７：ワーク領域
２：外部記憶装置
２１：直読素材管理デ−タベ−スおよび直読素材ファイル
２１ａ：直読素材管理デ−タベ−ス
２１ｂ：直読素材ファイル
２２：付加素材管理デ−タベ−スおよび付加素材ファイル
２２ａ：付加素材管理デ−タベ−ス
２２ｂ：付加素材ファイル
２３：リンク付け管理デ−タベ−ス
２４：面スペ−ス管理デ−タベ−ス
２５：未割付け素材管理デ−タベ−スおよび未割付け素材ファイル
２５ａ：未割付け素材管理デ−タベ−ス
２５ｂ：素材要旨ファイル（未割付け素材ファイル）
２５ｃ：格納アドレスコードファイル（未割付け素材ファイル）
３：入力装置
４：表示装置
５：印刷装置
６：サービスセンタ
７：新聞紙面
７ａ：直読素材の印刷部分
７ｂ：付加素材のコード印刷部分
８：ペンスキャナー
３１：符号化手段（コード化機構）
３２：符号化用の対応規則
３３：復号化手段
３４：復号化用の逆対応規則
３５：コードデ−タ（情報ユニット）
３６：コード印刷部分の左上部分
４１：直読素材の組版スペ−ス量
４２：付加素材のガイドコメント部分の組版スペ−ス量
４３：付加素材のコード部分の組版スペ−ス量
４４：付加素材の全スペ−ス量
４５：直読素材と付加素材の合計スペ−ス量
５１：直読素材
５２：付加素材
９：コンピュ−タシステム
９１：ＣＰＵやディスクドライブ装置などを内蔵した本体部
９２：ディスプレイ
９３：表示画面
９４：キ−ボ−ド
９５：マウス
９６：外部のデ−タベ−ス（ＤＡＳＤなどの回線先メモリ）
９７：モデム
９８：ＣＤ−ＲＯＭやフロッピ−ディスクなどの可搬型記録媒体
【図１】
0003659471.tif 000002
【図２】
0003659471.tif 000003
【図３】
0003659471.tif 000004
【図４】
0003659471.tif 000005
【図５】
0003659471.tif 000006
【図６】
0003659471.tif 000007
【図７】
0003659471.tif 000008
【図８】
0003659471.tif 000009
【図９】
0003659471.tif 000010
【図１０】
0003659471.tif 000011
【図１１】
0003659471.tif 000012
【図１２】
0003659471.tif 000013
【図１３】
0003659471.tif 000014
【図１４】
0003659471.tif 000015
【図１５】
0003659471.tif 000016
【図１６】
0003659471.tif 000017
【図１７】
0003659471.tif 000018
【図１８】
0003659471.tif 000019
【図１９】
0003659471.tif 000020
【図２０】
0003659471.tif 000021
【図２１】
0003659471.tif 000022
【図２２】
0003659471.tif 000023